(57)【要約】【課題】  装置内の磁気的シールド性を高度に維持し装置筐体全体の寸法を大きく変えることなく現状の業界標準サイズに収めることが可能なディスク装置を提供する。【解決手段】  非磁性材料からなり、磁気ディスク及び磁気ヘッドを有するディスクドライブ機構を収納するベース筐体と、軟磁性材料からなり、前記ベース筐体を閉塞するトップカバーと、前記磁気ディスク上で前記磁気ヘッドの移動範囲に対向する前記ベース筐体の平面領域に対向配置された平面シールド部と当該平面シールド部に連続し、前記ベース筐体内部で前記トップカバーと接触する導通部とを有する磁気シールド部材とを具備したことを特徴とする磁気ディスク装置。【選択図】      図１
2006221770.tif 000002
【特許請求の範囲】
【請求項１】
非磁性材料からなり、磁気ディスク及び磁気ヘッドを有するディスクドライブ機構を収
納するベース筐体と、
軟磁性材料からなり、前記ベース筐体を閉塞するトップカバーと、
前記磁気ディスク上で前記磁気ヘッドの移動範囲に対向する前記ベース筐体の平面領域
に対向配置された平面シールド部と当該平面シールド部に連続し、前記ベース筐体内部で
前記トップカバーと接触する導通部とを有する磁気シールド部材とを具備したことを特徴
とする磁気ディスク装置。
【請求項２】
前記ベース筐体は、前記磁気シールド部材の導通部が挿嵌可能な貫通孔を有し、
前記シールド部材の平面シールド部は前記磁気ディスク上で前記磁気ヘッドの移動範囲
に対応する前記ベース筐体の外平面に接触し、
前記導通部は、前記ベース筐体の貫通孔に挿通されるとともに、この貫通孔近傍がガス
ケットにて密閉され、前記トップカバーに接触するよう固定されることを特徴とする請求
項１に記載のディスク装置。
【請求項３】
前記シールド部材の平面領域は前記磁気ディスク上で前記磁気ヘッドの移動範囲に対応
する前記ベース筐体の内平面に接触し、
前記導通部は、前記筐体内部で前記トップカバーに接触するよう固定されることを特徴
とする請求項１に記載のディスク装置。
【請求項４】
非磁性材料からなり、磁気ディスク及び磁気ヘッドを有するディスクドライブ機構を収
納するベース筐体と、
非磁性材料からなり、前記ベース筐体を閉塞するトップカバーと、
前記ディスク上で前記磁気ヘッドの移動範囲に対応する前記トップカバーの平面領域に
対向配置された上面シールド部と、前記磁気ディスク上で前記磁気ヘッドの移動範囲に対
向する前記ベース筐体の平面領域に対向配置された下面シールド部と、前記下面シールド
部に連続し前記ベース筐体内部で前記上面シールド部と接触する導通部とからなる磁気シ
ールド部材とを具備したことを特徴とする磁気ディスク装置。
【請求項５】
前記磁気ディスクには垂直磁気記録を可能とする垂直磁化膜が形成され、
前記磁気シールド部材の前記上面シールド部と前記下面シールド部は前記磁気ディスク
の平面方向の前記磁気ヘッドを挟む上下のヘッド移動範囲をカバーするように配置される
ことを特徴とする請求項４に記載のディスク装置。
【請求項６】
前記磁気シールド部材の前記上面シールド部及び下面シールド部の厚さは０．２ｍｍ以
上で、幅は８ｍｍ以上であり、前記導通部の断面積が８ｍｍ２以上であることを特徴とす
る請求項４に記載のディスク装置。
【発明の詳細な説明】
【技術分野】
【０００１】
この発明は、ディスク装置に関し、特に磁気シールド効果を改善したディスク装置に関
する。
【背景技術】
【０００２】
近年、ハードディスクドライブを代表する磁気ディスク装置（以下、ディスクドライブ
と表記する場合がある）は、高記録密度化を図るために、従来の長手磁気記録方式の改善
と共に、垂直磁気記録方式の開発が推進されている。
【０００３】
垂直磁気記録方式を適用したディスクドライブは、一般的には単磁極ヘッドと、２層構
造のディスク媒体とを使用するヘッド・ディスクアセンブリ機構（ＨＤＡ機構）を備えた
ものである。このようなディスクドライブでは、ドライブの外部から侵入する外乱磁界を
単磁極ヘッドが収束して、当該ヘッドの記録磁極の直下でのディスク媒体上のデータ消去
してしまう減少が確認されている。このため、垂直磁気記録方式を適用したディスクドラ
イブでは、長手磁気記録方式と比較して、磁気シールド機能に関する技術が重要である。
【０００４】
ディスクドライブの磁気シールド機能に関する先行技術として、ドライブの外部磁界、
外部または内部の電磁ノイズをシールドする技術が、例えば、特開平６−２３６６７４号
公報に記載されている。また、ドライブ内部の残留磁化に起因する磁束密度を小さくでき
るドライブのハウジング構造、例えば、特開平８−４５２６１号公報に記載されている。
【０００５】
また、磁気ヘッドの移動範囲に対向する筐体の平面領域、平面領域に連続する側面領域
に設けられたシールド部材を具備することを特徴とする磁気ディスク装置が、特開２００３−７７２６６号公報に記載されている。
【特許文献１】特開平６−２３６６７４公報（図１、要約）
【特許文献２】特開平８−４５２６１公報（図１、要約）
【特許文献３】特開２００３−７７２６６公報（図１、要約）
【発明の開示】
【発明が解決しようとする課題】
【０００６】
しかしながら、これら先行技術は、従来の長手磁気記録方式のディスクドライブを想定
したものであり、特に単磁極ヘッドを使用する垂直磁気記録方式のドライブに対する磁気
シールド効果については検証されていない。要するに、先行技術には、垂直磁気記録方式
のディスクドライブを実現する上で、効果的な外部磁界の遮断方法については言及されて
いない。
【０００７】
垂直磁気記録方式のディスクドライブでは、前述したように、単磁極ヘッドと２層構造
のディスク媒体とを組み合わせた構成を備えているため、外部磁界がディスク媒体へ与え
る影響を制御する必要がある。即ち、同ドライブの構造としては、単磁極ヘッドの主磁極
から磁束が、２層構造のディスク媒体の記録層を通過し、その記録層下に設けられた軟磁
性層を通過して、単磁極ヘッドの副磁極側へ戻る磁気的回路が形成される。この磁気的回
路により、ディスク媒体の記録層には、データが記録されることになる。したがって、単
磁極ヘッドではなく、外部磁界がディスク媒体に印加されると、同様の磁気的回路が形成
されることになり、結果としてディスク媒体上の記録データが消去されるという現象を招
く。
【０００８】
このような外部磁界の影響を回避するために、ディスクドライブ本体を磁性材料からな
る筐体により構成したり、当該筐体全体に磁気シールド部材を設けたりすることが考えら
れる。しかし、このような方法では、ドライブ自体の重量が大きくなり、かつ大型化する
ため、ディスクドライブの軽量かつ薄型化を阻む要因となる。
【０００９】
また、磁気ヘッドの移動範囲に対向する筐体の平面領域、平面領域に連続する側面領域
に設けられたシールド部材を具備する特開平２００３−７７２６６号公報記載の磁気ディ
スク装置では、磁気シールド部材はテープ、箔状のものを装置筐体外部を取り囲む（巻き
つける）ように取り付けている。このため、装置筐体全体の寸法が大きくなり、所定の規
格寸法を越えてしまう可能性がある。
【００１０】
そこで、本発明は上記の問題を解決するためになされたもので、装置内の磁気的シール
ド性を高度に維持するとともに、装置筐体全体の寸法を大きく変えることなく現状の業界
標準サイズに収めることが可能なディスク装置を提供することにある。
【課題を解決するための手段】
【００１１】
上述の課題を解決するために、この発明に係るディスク装置は、非磁性材料からなり、
磁気ディスク及び磁気ヘッドを有するディスクドライブ機構を収納するベース筐体と、軟
磁性材料からなり、前記ベース筐体を閉塞するトップカバーと、前記磁気ディスク上で前
記磁気ヘッドの移動範囲に対向する前記ベース筐体の平面領域に対向配置された平面シー
ルド部と当該平面シールド部に連続し、前記ベース筐体内部で前記トップカバーと接触す
る導通部とを有する磁気シールド部材とを具備したことを特徴とするものである。
【発明の効果】
【００１２】
この発明によれば、上記のような構成をとることにより、装置内の磁気的シールド性を
高度に維持するとともに、装置筐体全体の寸法を大きく変えることなく現状の業界標準サ
イズに収めることが可能なディスク装置を提供することが可能となる。
【発明を実施するための最良の形態】
【００１３】
以下、図面を参照しながら、この発明の実施の形態に係るディスク装置として、磁気デ
ィスク装置、所謂ハードディスクドライブ（以下、ＨＤＤと称する）について詳細に説明
する。
【００１４】
（第１の実施形態）
図１乃至図４は、本発明の第１の実施形態にかかるＨＤＤの構造を示す図面である。
第１の実施形態に係るＨＤＤは、アルミ合金製のベース筐体１０１にスピンドルモータ
（図示しない）が固定されており、そのスピンドルモータにメディアである磁気ディスク
１０３が回転可能に取り付けられている。この磁気ディスク１０３上、即ち、表裏面には
垂直磁気記録可能な記録層である垂直磁気記録層が設けられている。磁気ディスク１０３
は図示しないロータにクランパ１０２によって締結固定され、スピンドルモータがロータ
を回転することにより、磁気ディスク１０３も高速回転することができる。
【００１５】
また、磁気ディスク１０３の記録層に対して、そのデータの記録再生を行う磁気ヘッド
（図示しない）を有するヘッドサブアッシ１０６をベース筐体１０１上で支持するユニッ
トベアリング１０７を有し、このユニットベアリング１０７を回転中心として、その近傍
に設けられた駆動源であるボイスコイルモータ１０４によりり、ヘッドを磁気ディスク１
０３上に移動可能とし、磁気ディスク１０３上のデータの記録再生を行うように構成され
ている。
【００１６】
本実施形態に係るＨＤＤは、上述のように、磁気ディスク１０３の表面に垂直磁化膜か
らなる記録層を有した垂直磁気記録方式を適用したドライブであり、磁気ディスク１０３
のメディア平面方向に沿って、装置筐体、特にベース筐体１０１の外部にＨＤＤの外部空
間からＨＤＤに影響を及ぼす外部磁界を遮断するための磁気シールド部材１１２を具備し
ている。
【００１７】
この磁気シールド部材１１２は、磁気ディスク１０３上で磁気ヘッドの移動範囲に対向
する前記ベース筐体１０１の平面領域に対向配置された平面シールド部１１２と、この平
面シールド部１１２に連続し、ベース筐体１０１の内部でベース筐体１０１を閉塞するト
ップカバー１０９と接触し、磁気的導通を図った上下シールド導通部１０８（以下、導通
部と称する）とを有する。
【００１８】
本実施形態では、トップカバー１０９が軟磁性材からなり、磁気ディスク１０３のメデ
ィア平面方向の上部の磁気シールド板を兼ねている。トップカバー１０９を形成する軟磁
性材は、例えば、鉄系材料のＳＰＣＣ（冷間圧延鋼板）、ＳＵＳ４３０（ステンレス鋼板
）、珪素鋼板などを用いることが可能である。
【００１９】
磁気ディスク１０３のメディア平面方向の下部、即ち、装置のベース筐体１０１の外部
表面に、ＨＤＤ内に取り付けられった磁気ヘッドの移動軌跡をカバーする範囲の下面シー
ルド板１１２が配置される。
【００２０】
下面シールド板１１２も上述のトップカバー１０９と同様に、例えば、鉄系材料のＳＰ
ＣＣ（冷間圧延鋼板）、ＳＵＳ４３０（ステンレス鋼板）、珪素鋼板などを用いることが
可能である。
【００２１】
また、本実施形態において、下面シールド板１１２にはこれに連続してトップカバー１
０９方向に突出し、トップカバー１０９に接触するように固定され、導通させる導通部１
０８が、下面シールド板１１２に圧入、溶接、ろう付け、或いはネジ止めなどから選択さ
れた方法により取り付けられている。
【００２２】
この上下シールド板導通部１０８をベース筐体１０１に設けられた導通部貫通孔１１０
から装置筐体内に貫通するように挿入し、下面シールド板１１２をベース筐体１０１の外
表面に取り付ける。本実施形態ではネジにより固定している。
【００２３】
なお、ベース筐体１０１と下面シールド板１１２の間には、べース筐体１０１の外面に
、装置内部と外部の気密性を保つためにリーク防止ガスケット１１１が挿入されている。
【００２４】
この上下シールド板導通部１０８をベース筐体１０１に設けられた導通部貫通孔１１０
から装置筐体内に貫通するように挿入し、下面シールド板１１２をベース筐体１０１の外
表面に取り付ける。本実施形態ではネジにより固定している。
【００２５】
図３は、本実施形態に係るＨＤＤ及下面シールド板１１２の取り付け状態を詳細に説明
するために、ＨＤＤ装置下方向から見た図である。
トップカバー１０９の装置内面で、上下シールド板導通部１０８に対向する部分には、
上下シールド板導通部１０８をトップカバー１０９の外部からネジ止め等で固定する際に
、ＨＤＤ装置内部の機密性を保つためにリーク防止ガスケット１１３が設けられている。
【００２６】
また、上述のようにベース筐体１０１の導通部貫通孔１１０のベース筐体１０１の外面
側外周部にはガスケット１１１がはまる溝を設けており、この溝にガスケット１１１がは
まり込みこれを下面シールド板１１２が押圧する形で気密状態を確保する構造となってい
る。
【００２７】
なお、リーク防止ガスケット１１１と１１３は、弾性変形可能な樹脂系の材料で、紫外
線硬化性アクリル樹脂が用いられる。
図４は、本実施形態に係るＨＤＤの上部からの正面図（図４（Ａ））、線Ｂ部分により
切断した断面図（図４（Ｂ））、断面図４（Ｂ）の上下シールド板導通部１０８近傍の取
付状態の詳細を説明するために部分的に拡大した拡大図（図４
【００２８】
（Ｃ））である。
本実施形態において、トップカバー１０９と上下シールド導通部１０８はそれぞれ、軟
磁性材のネジによりトップカバー１０９に固定され磁気的に導通している。また、リーク
防止ガスケット１１３は導通部１０８と密着する寸法になっており、リークを防止、即ち
、装置筐体内の気密状態を維持した構造をとっている。
【００２９】
以上述べたように、本実施形態において、軟磁性材料からるトップカバー１０９に対し
、磁気ディスク１０３上で磁気ヘッドの移動範囲に対向するベース筐体１０１の平面領域
に対向配置された平面シールド部１１２を、この平面シールド部１１２に連続して形成さ
れた上下シールド導通部１０８がベース筐体１０８とトップカバー１０９で形成されるＨ
ＤＤ筐体内の空間、すなわち、ベース筐体１０８内部で、トップカバー１０９と接触し導
通することで、装置内の磁気的シールド性を高度に維持するとともに、装置筐体全体の寸
法を大きく変えることなく現状の業界標準サイズに収めることが可能なディスク装置を提
供することが可能となる。
【００３０】
（第２の実施形態）
次に、本発明の第２の実施形態を図５を用いて説明する。上述の第１の実施形態におい
ては、トップカバー１０９が軟磁性材で構成されており、このトップカバー１０９が上面
シールド板を兼ねていた。そこで、本発明の第２の実施形態ではトップカバー１０９が軟
磁性材ではない場合、図５に示すように上面シールド板１１８をトップカバー１０９の外
面で、磁気ディスク１０３上で磁気ヘッドの移動範囲に対向し、平面領域に対向する部分
に配置されたする点で、第１の実施形態と異なっている。
【００３１】
本実施形態に係るＨＤＤも磁気ディスク１０３の表面に垂直磁化膜からなる記録層を有
した垂直磁気記録方式を適用したドライブであり、磁気ディスク１０３のメディア平面方
向に沿って、装置筐体、特にベース筐体１０１の外部にＨＤＤの外部空間からＨＤＤに影
響を及ぼす外部磁界を遮断するための磁気シールド部材１１２を具備している。
【００３２】
この磁気シールド部材１１２は、磁気ディスク１０３上で磁気ヘッドの移動範囲に対向
する前記ベース筐体１０１の平面領域に対向配置された平面シールド部１１２と、この平
面シールド部１１２に連続し、ベース筐体１０１の内部でベース筐体１０１を閉塞するト
ップカバー１０９と接触し、磁気的導通を図った上下シールド導通部１０８（以下、導通
部と称する）とを有する。
【００３３】
本実施形態では、トップカバー１０９が軟磁性材ではない。そのため、例えば、鉄系材
料のＳＰＣＣ（冷間圧延鋼板）、ＳＵＳ４３０（ステンレス鋼板）、珪素鋼板などを用い
た上面シールド板１１８をトップカバー１０９の外面で、磁気ディスク１０３上で磁気ヘ
ッドの移動範囲に対向し、平面領域に対向する部分に配置している。
【００３４】
そして、磁気ディスク１０３のメディア平面方向の下部、即ち、装置のベース筐体１０
１の外部表面に、ＨＤＤ内に取り付けられった磁気ヘッドの移動軌跡をカバーする範囲の
下面シールド板１１２が配置される。
【００３５】
下面シールド板１１２も上述のトップカバー１０９と同様に、例えば、鉄系材料のＳＰ
ＣＣ（冷間圧延鋼板）、ＳＵＳ４３０（ステンレス鋼板）、珪素鋼板などを用いることが
可能である。他の構成については、上述の第１の実施形態とほぼ変わらない。
【００３６】
以上述べたように、本実施形態において、軟磁性材料でないトップカバー１０９に対し
、このトップカバー１０９の外平面で磁気ディスク１０３上で磁気ヘッドの移動範囲に対
向するベース筐体１０１の平面領域に、上面シールド板１１８を対向配置し、この上面シ
ールド部１１８に、上下シールド導通部１０８を持つ下面シールド板１１２がベース筐体
１０８とトップカバー１０９で形成されるＨＤＤ筐体内の空間、すなわち、ベース筐体１
０８内部で、トップカバー１０９上に配置された上面シールド板１１８と接触し導通する
ことで、トップカバー１０９が磁性を持たなくても装置内の磁気的シールド性を高度に維
持することができ、装置筐体全体の寸法を大きく変えることなく現状の業界標準サイズに
収めることが可能なディスク装置を提供することが可能となる。
【００３７】
なお、トップカバー１０９には、上面シールド部１１８を取り付けるエリア、即ち、磁
気ヘッドの移動軌跡をカバーする範囲に、この上面シールド部取付領域１１９を窪み、或
いは切り欠きにて形成しておくことで、上面シールド部１１８の位置決めをしている。
【００３８】
（第３の実施形態）
次に、本発明の第３の実施形態を図６を用いて説明する。上述の第１の実施形態におい
ては、下面シールド板１１２をベース筐体１０１の外表面に取り付けていた。しかし、本
実施形態においては、図６に示すように、下面シールド板１１２をベース筐体１１２の装
置筐体内面で、磁気ディスク１０３の直下に配置し、下面シールド板１１２と上下シール
ド導通部１０８が装置筐体内部の気密空間内に配置する例である。
【００３９】
上下シールド導通部１０８にネジ加工を施し、トップカバー１０９または上部シールド
板１１８と導通させる。上下シールド導通部１０８および下面シールド板１１２に貫通穴
（中空）を設け、ベース筐体１０１にネジ加工を施し磁気的導通をとることも可能である
。また、下面シールド板１１２および上下シールド導通部１０８のベース筐体１０１への
取り付けは、ネジ止め以外に、接着または、ベース筐体１０１をアルミ合金とし、これと
の一体成形なども可能である。
【００４０】
なお、ベース筐体１０１の内部で、磁気ディスク１０３の直下には、下面シールド部１
１２を取り付けるエリア、即ち、磁気ヘッドの移動軌跡をカバーする範囲に、この下面シ
ールド部取付領域１２０を窪み、或いは切り欠きにて形成しておくことで、下面シールド
部１１２の位置決めをしている。
【００４１】
（上述の各実施形態における変形例）
図７は、上下シールド板導通部１０８の断面形状のバリエーションを示す図である。本
変形例は、上述の各実施形態における上下シールド板導通部１０８に適用可能である。先
の各実施形態では、上下シールド板導通部１０８を円柱形状としたが、図７（Ａ）、（Ｂ
）のように三角形、或いは四角形、または、それ以上の多角形でも可能である。また、図
７（Ｃ）、（Ｄ）、（Ｅ）のように、円柱形状、三角形、四角形のそれぞれの形状の中を
抜き、管状としてもよい。さらに、図７（Ｆ）、（Ｇ）のようにＨＤＤ装置内部の空きエ
リアの形状に合わせて、上下シールド板導通部１０８の形状も自由に決定可能としてもよ
い。
【００４２】
なお、上下シールド板導通部１０８を装置外部コの字状にする構造では、テープ状、箔
状でも実際に磁気シールド効果を得られる厚さは０．２ｍｍ〜０．４ｍｍであり、例えば
厚さ０．３ｍｍの場合、幅４０ｍｍ程度を要する。現状、装置の規格サイズ内で外部に上
記寸法の導通部を実装することは困難である。
【００４３】
上述の各実施形態で述べたように、上下シールド板導通部１０８を装置筐体内部を貫通
させる、または、内部に実装した場合、上記寸法と同断面積を得るには
直径４ｍｍの円柱で可能であり、装置筐体内部の空きエリアを有効活用でき、装置幅を規
格内に収めることが容易となる。
以上のように構成されたディスク装置によれば、上記のような構成をとることにより、
装置内の磁気的シールド性を高度に維持するとともに、装置筐体全体の寸法を大きく変え
ることなく現状の業界標準サイズに収めることが可能なディスク装置を提供することが可
能となる。
【図面の簡単な説明】
【００４４】
【図１】本発明の第１の実施形態に係るＨＤＤの分解斜視図。
【図２】本発明の第１の実施形態に係るＨＤＤの斜視図（カバーなし）。
【図３】本発明の第１の実施形態に係るＨＤＤのベース筐体側からみた分解斜視図。
【図４】本発明の第１の実施形態に係るＨＤＤの断面図。
【図５】本発明の第２の実施形態に係るＨＤＤの分解斜視図。
【図６】本発明の第３の実施形態に係るＨＤＤの斜視図。
【図７】本発明の上下シールド板導通部の変形形状バリエーション。
【符号の説明】
【００４５】
１０１……ベース筐体
１０２……クランパ
１０３……磁気ディスク
１０４……ボイスコイルモータ
１０５……ランプ
１０６……ヘッドサブアッシ
１０７……ユニットベアリング
１０８……上下シールド導通部
１０９……トップカバー
１１０……導通部貫通孔
１１１……リーク防止ガスケット
１１２……下面シールド板
１１３……リーク防止ガスケット
１１８……上面シールド部
１１９……上面シールド部取付領域
１２０……下面シールド部取付領域
【図１】
2006221770.tif 000003
【図２】
2006221770.tif 000004
【図３】
2006221770.tif 000005
【図４】
2006221770.tif 000006
【図５】
2006221770.tif 000007
【図６】
2006221770.tif 000008
【図７】
2006221770.tif 000009